(57)【要約】【課題】  血管内に配置された塞栓物質捕捉用デバイスの塞栓捕捉フィルターに対して、治療用のデバイス、例えば、血管拡張用のステント等を配置する際に使用されるガイドワイヤによって、塞栓フィルターの位置がずれたり、塞栓捕捉フィルターの形態が変形したりすることを低減する。【解決手段】  塞栓物質捕捉用デバイス１００は、シャフト部材１０と、主として複数の弾性又は形状記憶性の線状部材によって形成されてなり、一方側がメッシュの袋状に形成されたメッシュ部と、他方側が少なくとも２本以上に集約された集約部を有し、前記集約部の間が開口に形成された塞栓捕捉フィルター２０と、を有する塞栓物質捕捉用デバイスにおいて、前記シャフト部材は、少なくとも遠位端部が中空に形成されている中空部を有することを特徴とする。【選択図】図１
2019129915.tif 000002
【特許請求の範囲】
【請求項１】
操作用ワイヤ又は治療用デバイスが挿入可能となるように、全長に亘って中空に形成された中空部を有するシャフト部材と、
前記シャフト部材の遠位端又は、遠位端側に設けられかつ遠位端側が開口し、近位端側が閉口している塞栓捕捉フィルターと、
を備えていることを特徴とする塞栓物質捕捉用デバイス。
【請求項２】
前記塞栓捕捉フィルターは、主として複数の弾性又は形状記憶性のワイヤによって作製されており、
前記塞栓捕捉フィルターの近位端側は、メッシュの袋状に形成されてなるメッシュ部とからなり、
前記塞栓捕捉フィルターの遠位端側は、少なくとも２本以上に集約され、開口部を有する集約部とからなる、
ことを特徴とする請求項１に記載の塞栓物質捕捉用デバイス。
【請求項３】
前記塞栓捕捉フィルターは、近位端側が固定されており、かつ遠位端側がスライド自在に形成されていることを特徴とする請求項２に記載の塞栓物質捕捉用デバイス。
【請求項４】
前記塞栓捕捉フィルターは、形状記憶を有する複数の線状の骨部材と、前記骨部材に取付けられてなる複数の細孔が形成された薄膜と、からなることを特徴とする請求項１に記載の塞栓物質捕捉用デバイス。
【請求項５】
請求項１から４のいずれか１項に記載の塞栓物質捕捉デバイスにおいて、
前記シャフト部材及び塞栓捕捉フィルターが収納可能な外鞘を備えていることを特徴とする塞栓捕捉用デバイス。
【請求項６】
請求項１から５のいずれか１項に記載の塞栓物質捕捉用デバイスにおいて、
前記中空部に挿入可能な操作用ワイヤ又は治療用デバイスを備えていることを特徴とする塞栓物質捕捉用デバイス。
【請求項７】
前記操作用ワイヤの先端には、係合部材が設けられていることを特徴とする請求項６に記載の塞栓物質捕捉用デバイス。
【請求項８】
前記治療用デバイスは、ステントグラフト、バルーンカテーテル又は血管内異物除去用カテーテルであることを特徴とする請求項６に記載の塞栓物質捕捉用デバイス。
【発明の詳細な説明】
【技術分野】
【０００１】
本発明は、塞栓物捕捉用デバイスに関する。
【背景技術】
【０００２】
従来、総頸動脈、鎖骨下動脈、大動脈等の血管における血管狭窄部において、インターベンション術によるステントグラフト留置による経皮的血管形成手術やバルーンカテーテルによる拡張手術等が行われている。こうした手術の術中に遊離したデブリスや血栓等の塞栓物質が血管末梢に流れると、血管等を梗塞させる可能性がある。
【０００３】
フィルターデバイスは、こうした手術において、血管などの塞栓物質が末梢側に流出することを防止するために、治療部位より末梢側に設置されて塞栓物質を捕捉するためのデバイスである。このフィルターデバイスとして、袋状の開口部をガイドワイヤの近位後端側に配置し、袋部を遠位先端側に配置した袋状のフィルターが取り付けられたデバイスが使用されている（特許文献１）。
【０００４】
しかし、この塞栓捕捉フィルターからなるフィルターデバイスを設置した後、治療用のデバイス、例えば血管拡張用のステントグラフト等の留置手術を行う場合、ステントグラフトを誘導するためのガイドワイヤが、設置された塞栓捕捉フィルターに接触して、塞栓捕捉フィルターの位置をずらしてしまったり、塞栓捕捉フィルターの形態を変形させたりする可能性がある。
【０００５】
このように、塞栓捕捉フィルターの位置がずれたり、塞栓捕捉フィルターの形態が変形したりすると、塞栓物を捕捉することができず、末端側に流出してしまう可能性がある。
【先行技術文献】
【特許文献】
【０００６】
【特許文献１】特表２００５−５３７８５６号公報
【発明の概要】
【発明が解決しようとする課題】
【０００７】
そこで、本発明はかかる問題点を解決するためになされたものであり、血管内に配置された塞栓物質捕捉用デバイスの塞栓捕捉フィルターに対して、治療用のデバイス、又は血管拡張用のステント等の血管治療用デバイスを配置する際に、これらによって塞栓フィルターの位置がずれたり、塞栓捕捉フィルターの形態が変形したりすることを低減することができる塞栓物質捕捉用デバイスを提供することを主たる目的とする。
【０００８】
また、一つのデバイスによって、塞栓捕捉フィルター及びステントグラフト等の血管治療用デバイスの両方を留置し、操作可能とすることができる塞栓物質捕捉用デバイスを提供することも目的とする。
【課題を解決するための手段】
【０００９】
本発明は、上述の目的を達成するために以下の手段を採った。
【００１０】
本発明の塞栓物質捕捉用デバイスは、
操作用ワイヤ又は治療用デバイスが挿入可能となるように全長に亘って中空に形成された中空部を有するシャフト部材と、
前記シャフト部材の遠位端又は、遠位端側に設けられかつ遠位端側が開口し、近位端側が閉口している塞栓捕捉フィルターと、
を備えていることを特徴とする。
【００１１】
本発明にかかる塞栓物質捕捉デバイスによれば、塞栓捕捉フィルターが取付けられているシャフト部材の全長に亘って中空部が形成されているので、内部に異なる機能を有する操作用ワイヤを挿入することができる。そのため、この操作用ワイヤを利用することによって、ステントグラフト、バルーンカテーテル及び血管内異物除去用のカテーテル等の医療用デバイスを設置するのに使用するガイドワイヤを挿入したり、ステントグラフト、バルーンカテーテル及び血管内異物除去用のカテーテル等の医療用デバイスを中空部に挿入したりすることができる。
【００１２】
さらに、本発明にかかる塞栓物質捕捉用デバイスにおいて、
前記塞栓捕捉フィルターは、主として複数の弾性又は形状記憶性のワイヤによって作製されており、
前記塞栓捕捉フィルターの近位端側は、メッシュの袋状に形成されてなるメッシュ部とからなり、
前記塞栓捕捉フィルターの遠位端側は、少なくとも２本以上に集約され、開口部を有する集約部とからなる、
ことを特徴とするものであってもよい。
【００１３】
メッシュ状の塞栓捕捉フィルターを使用することによって、メッシュによる空隙が多く血流が流れやすくなるので、手術中に血流を阻害することを低減することができる。また、一つ一つのメッシュ孔は塞栓物より小さいので、より確実に塞栓物を捕捉することができる。
【００１４】
さらに、本発明にかかる塞栓物質捕捉用デバイスにおいて、前記塞栓捕捉フィルターは、近位端側が固定されており、かつ遠位端側がスライド自在に形成されていることを特徴とするものであってもよい。
【００１５】
かかる構成を採用することによって、塞栓捕捉フィルターの一方側（近位端側）の位置をずらすことなく、塞栓捕捉フィルターを開くことができるため、血管内でより正確な位置に塞栓捕捉フィルターを留置することができる。
【００１６】
さらに、本発明にかかる塞栓物質捕捉用デバイスにおいて、前記塞栓捕捉フィルターは、形状記憶を有する複数の線状の骨部材と、前記骨部材に取付けられてなる複数の細孔が形成された薄膜と、からなることを特徴とするものであってもよい。
【００１７】
塞栓捕捉フィルターを骨部材と薄膜で作製することによって、閉じた際の塞栓捕捉フィルターの外周の厚さを薄くすることができる。そのため、より細い塞栓物質捕捉用デバイスとすることができる。また、外周が同じ太さであってもシャフト部材の太さを太くすることができるため、中空部の直径を大きくすることができる。
【００１８】
さらに、本発明にかかる塞栓物質捕捉用デバイスにおいて、前記シャフト部材及び塞栓捕捉フィルターが収納可能な外鞘を備えていることを特徴とするものであってもよい。
【００１９】
かかる構成を採用することによって、使用前には塞栓捕捉フィルターを閉じた状態に保持することができ、血管内の患部に到達した段階で外鞘を外すだけで、自動的に塞栓捕捉フィルターを血管内で広げて留置することができる。
【００２０】
さらに、本発明に係る塞栓物質捕捉用デバイスにおいて、前記中空部に挿入可能な操作用ワイヤ又は治療用デバイスを備えていることを特徴とするものであってもよい。
【００２１】
かかる構成を採用することによって、操作用ワイヤの先端に様々な治療器具を取り付けることによって様々な治療手段を付加したり、種々の治療用デバイスを予め挿入しておくことで、様々な治療方法に対応することが可能になる。
【００２２】
さらに、本発明にかかる塞栓物質捕捉用デバイスにおいて、前記操作用ワイヤの先端には、係合部材が設けられていることを特徴とするものであってもよい。
【００２３】
このような係合部材を設けることによって、例えば、本発明に係る塞栓物質捕捉デバイスの挿入方向に対して、反対方向の血管から挿入されたガイドワイヤを容易に係合させることができる。係合させることによって、反対側の血管から挿入されたガイドワイヤの先端の動きを規制することができ、ガイドワイヤが塞栓捕捉フィルターに接触する可能性を低減することができる。
【００２４】
さらに、本発明にかかる塞栓物質捕捉用デバイスにおいて、前記治療用デバイスは、ステントグラフト、バルーンカテーテル又は血管内異物除去用カテーテルであることを特徴とするものであってもよい。
【００２５】
かかる構成を採用することによって、本発明の塞栓物質捕捉用デバイスのみで、塞栓捕捉フィルター及び、ステントグラフト、バルーンカテーテル又は血管内異物除去用カテーテルを同時に血管内に設置することができるようになる。
【発明の効果】
【００２６】
本発明にかかる塞栓物質捕捉用デバイスによれば、一旦、血管内に留置した塞栓捕捉フィルターを、ステントグラフト、バルーンカテーテル又は血管内異物除去用カテーテル等、又はこれらを設置するときに使用されるガイドワイヤによって、塞栓捕捉フィルターの位置をずらしたり、塞栓捕捉フィルターの形態を変形させたりすることを低減することができる。また、塞栓捕捉フィルター及びステントグラフト等の治療用デバイスの両方を操作可能な塞栓物質捕捉用デバイスを提供することができる。
【図面の簡単な説明】
【００２７】
【図１】図１は、実施形態にかかる塞栓物質捕捉用デバイス１００の構成の概略を示す図である。
【図２】図２は、図１のＡ部の拡大図である。
【図３】図３は、実施形態にかかる塞栓物質捕捉用デバイス１００の塞栓捕捉フィルター２０の構成の概略を示す図である。
【図４】図４は、実施形態にかかる塞栓物質捕捉用デバイス１００において、塞栓捕捉フィルター２０のメッシュ部側スリーブ４１の断面を示す図である。
【図５】図５は、実施形態にかかる塞栓物質捕捉用デバイス１００において、束部側スリーブ４２の断面を示す図である。
【図６】図６は、実施形態にかかる塞栓物質捕捉用デバイス１００において、束部側スリーブ４２の断面の別実施形態を示す図である。
【図７】図７は、実施形態にかかる塞栓物質捕捉用デバイス１００の塞栓捕捉フィルター２０が外鞘内に配置されている状態を示す図である。
【図８】図８は、別実施形態にかかる塞栓物質捕捉用デバイス１００の構成の概略を示す図である。
【図９】図９は、別実施形態にかかる塞栓物質捕捉用デバイス１００の塞栓捕捉フィルター２０とシャフト部材１０との結合部の構成の概略を示す図である。
【図１０】図１０は、実施形態にかかる塞栓物質捕捉用デバイス１００の塞栓捕捉フィルター２０が外鞘から露出された状態を示す図である。
【図１１】図１１は、実施形態にかかる塞栓物質捕捉用デバイス１００の使用方法を説明する図である。
【図１２】図１２Ａは、実施形態にかかる塞栓物質捕捉用デバイス１００のシャフト部材１０の中空部にガイドワイヤを挿入した状態を示す図である。図１２Ｂは、ガイドワイヤによって塞栓捕捉フィルターを変形させた状態を示す図である。
【図１３】図１３は、第２の使用方法を説明するための説明図である。
【図１４】図１４は、第４の使用方法を説明するための説明図である。
【図１５】図１５は、塞栓物質捕捉用デバイス１００の別実施形態を示す参考図である。
【発明を実施するための形態】
【００２８】
次に、本発明にかかる塞栓物質捕捉用デバイス１００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２９】
図１は、第１実施形態にかかる塞栓物質捕捉用デバイス１００の概略図が示されている。第１実施形態にかかる塞栓物質捕捉用デバイス１００は、主としてシャフト部材１０と、塞栓捕捉フィルター２０と、手元側操作部材７０及び外鞘８０とを備えている。さらに、任意に先端ガイド部３０、デリバリーカテーテルその他の部材を含んでもよい。
【００３０】
シャフト部材１０は、略先端に塞栓捕捉フィルター２０が取り付けられており、手元側操作部材７０を操作することによって、塞栓捕捉フィルター２０を所望の血管内に誘導したり、塞栓捕捉フィルター２０の拡張状態を調整したりすることができる。
【００３１】
シャフト部材１０は、遠位端側又は遠位端側近傍に塞栓捕捉フィルター２０が設けられている。塞栓捕捉フィルター２０には、主としてシャフト部材１０に対して先端と後端の両方に取付部あるタイプの塞栓捕捉フィルター２０（図１参照）と、先端が開口しており先端側にシャフト部材１０との固定部がないタイプの塞栓捕捉フィルター２０（図８参照）と、を有する。詳細は、後述する。
【００３２】
シャフト部材１０の先端には、任意に先端ガイド部３０を設けても良い。シャフト部材１０の素材として、例えば、ステンレス鋼、Ｎｉ−Ｔｉ（ニッケルチタン）合金、Ｎｉ−Ｔｉ−Ｃｏ（ニッケルチタンコバルト）合金等や合成樹脂が使用される。
【００３３】
シャフト部材１０は、遠位端に向かって硬度が低くなるように形成するとよい。遠位端側の硬度を低く形成することで、先端が柔軟になり血管の追従性を高めることができる。特に先端から３０ｃｍ〜５０ｃｍの長さの範囲を柔軟に形成するとよい。かかる範囲を柔軟に設定することによって、血管内の追従性が効果的に向上し、より挿入しやすくすることができる。
【００３４】
また、シャフト部材１０は、塞栓物質捕捉用デバイス１００を挿入する際の挿入性を向上させるため、又は治療デバイスの通過性を向上させるため、又は血栓の付着を防止させるため等のために、フッ素コーティングや親水性コーティング等の滑り性を向上させるための加工を施してもよい。親水性コーティングは、シャフト部材１０が金属の場合に直接コーティングしてもよいが、樹脂を被覆した後にコーティングするとよい。シャフト部材１０の滑り性を向上させることによって、外鞘８０やデリバリーカテーテル内で塞栓捕捉フィルター２０をよりスムーズに移動させることができる。
【００３５】
さらに、シャフト部材１０には、外鞘８０に挿入した長さを分かりやすくするために、シャフト部材１０を所定長さごとに色分けしたマーキングを設けて、視認によって挿入長さを確認できるようにしてもよい。また、シャフト部材１０の表面のコーティングを剥がしたり、粗面化したり、シリコン系の樹脂やゴム等で被覆又はコーティングしたりして、シャフト部材１０の部位によって手触りが異なるようにしたマーキングを設けてもよい。手触りが異なるようにすれば、術者が手元を見なくても手の感触で挿入長さを確認することができるようになる。この際に、塞栓捕捉フィルター２０から外鞘８０の長さと同じ長さ又はその近傍の位置にマーキングを設けるとよい。この位置にマーキングを設けることによって、塞栓捕捉フィルター２０が外鞘８０の先端に到達したことを容易に認識することができる。そのため、シャフト部材１０を挿入しすぎることにより、塞栓捕捉フィルター２０が飛び出して誤った場所に拡張させる可能性を低減することができる。
【００３６】
また、シャフト部材１０の手元側の一部、好ましくは、身体内に挿入しない領域であって、かつ、医師等の術者が手で操作する範囲に滑り止め加工を施してもよい。例えば、シャフト部材１０の表面を粗面化したり、シリコン系の樹脂やゴム等で被覆したり、コーティングしたりするとよい。手元側に滑り止め加工を施すことよって、手元側でシャフト部材１０を操作する際に使用するトルカーを保持する際の滑り止めとして機能させることができる。また、医師が塞栓物質捕捉用デバイス１００を血管内に挿入する際は、シャフト部材１０の表面に他の部分と異なる質感を与えることによって、必ずしも手元を視認することなく手の感覚によってシャフト部材１０の挿入長さをある程度知ることができるようになる。また、塞栓捕捉フィルター２０が患部に留置された後の細かい動きを行う場合等にトルカーを使わずに、直接、シャフト部材１０を操作する場合にも操作しやすくなる。
【００３７】
先端ガイド部３０は、シャフト部材１０が血管内を進行する際のガイドの機能を有する部位であり、血管の追従性の確保及び血管を傷つけることを防止するために、柔軟に形成されている。好ましくは、コイル状に巻きつけられたコイルワイヤや編み込まれたワイヤを使用するとよい。先端ガイド部３０は、Ｘ線によって先端ガイド部３０の位置を視認することができるように、白金、タングステン等のＸ線不透過性の素材を使用するか、先端に取り付けるとよい。先端ガイド部３０の先端には、先端チップ部３１が設けられている。この先端チップ部３１は、表面を粗面にしたり、シリコンやゴム等の滑りにくい素材をコーティングしたりしてもよい。先端チップ部３１の表面を滑りづらくすることによって、シャフト部材１０を血管内に進行させる際に、手元側のシャフト部材１０に先端の感触を伝達しやすくすることができる。なお、この先端ガイド部３０は、先端が開口しており先端側にシャフト部材１０との固定部がないタイプの塞栓捕捉フィルター２０の場合には、設ける必要はない。
【００３８】
さらに、本発明にかかるシャフト部材１０は、図２に示すように、先端ガイド部３０の先端からシャフト部材１０の全長に亘って、中空に形成された中空部１５が形成されている。詳細は後述するが、この中空部１５は、先端に種々の機能を有する形状を有する操作用ワイヤ８５（例えば、係合機能を有するもの）や治療用デバイス（例えば、ステントやバルーン）が挿入される。なお、全長に亘って中空部１５が設けられているため、手元側に血液が中空部１５に流れ込むことを防止するため、弁を設けるとよい。
【００３９】
塞栓捕捉フィルター２０は、先述したように、主として、シャフト部材１０の先端と後端の両方に取付部があるタイプの塞栓捕捉フィルター２０と、先端が開口しており先端側のシャフト部材１０との固定部がないタイプの塞栓捕捉フィルター２０と、がある。
【００４０】
まず、先端と後端の両方に取付部があるタイプの塞栓捕捉フィルター２０の例について図３に沿って説明する。このタイプの塞栓捕捉フィルター２０は、弾性又は形状記憶性を有する細いワイヤ２１を織り込み又は編み込んでメッシュ状に形成されたメッシュ部２２と、これらメッシュ部２２を形成するワイヤ２１を束ねて線状に形成された束部２４と、を有している。なお、図３を除きその他の図は、メッシュ部２２の斜線は、実施形態を反映しているものではなく、メッシュ部２２の場所を特定しているにすぎない。メッシュ部２２側の端部（以下「メッシュ部側端部２２ａ」という。）は、メッシュ状に織り込まれた又は編まれたワイヤ２１の端部が集約してメッシュ部側スリーブ４１を介してシャフト部材１０に取り付けられており、近位端側は閉塞されて袋状に形成される。メッシュ部２２のメッシュ孔は、５０μｍ〜１０００μｍ程度に形成するのが好ましいが、これに限定するものではない。より好ましくは、１００μｍ〜５００μｍである。他方、束部２４側の端部（以下、「束部側端部２４ａ」という。）は、メッシュ部２２から伸びたワイヤ２１が複数の束部２４に束ねられており、束ねられた状態で束部側スリーブ４２を介してシャフト部材１０に取り付けられている。本実施形態においては、３つの束部で形成されているが、３つに限定するものではなく、２つ又は４つ以上の束部で形成しても構わない。こうして、本発明にかかる塞栓捕捉フィルター２０は、一方側が複数のメッシュ孔を有する袋状に形成され、他方側は束部２４間に開口した塞栓流入口２６が形成される。
【００４１】
メッシュ部２２に配置されるそれぞれのワイヤ２１は、それぞれＳ字状に湾曲して形成されており、並列して形成されたＳ字状のワイヤ２１ａと、並列して配置された逆Ｓ字状のワイヤ２１ｂとが、互い違いに織り込まれるようにして形成されている。なお、図３は、一部のワイヤ２１しか図示していない。ワイヤ２１は、最終製品の状態では、Ｓ字形状に形状記憶されている。Ｓ字形状は、塞栓捕捉フィルター２０が自然に拡張している状態で、メッシュ部側端部２２ａから塞栓捕捉フィルター２０の全長に対して５分の１の範囲（図３中αの範囲）で大きく湾曲させ、メッシュ部側端部２２ａから塞栓流入口２６のメッシュ部側端部２６ａまでの間（図３中βの範囲）は、あまり湾曲させずに略平行に配置するとよい。このようにワイヤ２１をＳ字状に形成することによって、直線によって織り込まれ又は編まれたものと比較してＳ字の形状記憶により、効果的にメッシュ部２２を膨らませることができる。また、メッシュ部側端部２２ａから塞栓流入口２６のメッシュ部側端部２６ａまでの間（図３中αβの範囲）で、直線状のワイヤ２１で織り込み又は編み込んだ場合と比較して、ワイヤ２１の角度をシャフト部材１０の長手方向と比較して大きな角度を取れるので、より大きな塞栓流入口２６を形成することができる。さらに、Ｓ字状に湾曲させなかった場合は、ワイヤ２１を複数本束ねた場合、メッシュ孔を同一又は近似の大きさにすることは難しいが、Ｓ字状に湾曲したワイヤ２１を使用することによって、束部側端部２４ａでワイヤ２１を複数本束ねた場合であっても、周方向のメッシュ孔の形状及び大きさを同一又は近似させることができる。これにより、大きなメッシュ孔が形成されることを防止でき、血栓の捕獲もれを防止することができる。
【００４２】
また、メッシュ部２２に配置されるワイヤ２１のうち、少なくとも１本以上にＸ線不透過性の拡張確認ワイヤ２１ｃを使用するとよい。メッシュ部２２に拡張確認ワイヤ２１ｃを使用することにより、塞栓捕捉フィルター２０の位置に加えて、拡張状態をも確認することができる。拡張確認ワイヤ２１ｃの数は、限定するものではないが、３本以上設けることが好ましい。少なくとも３本設けることによって、上述したように、発明にかかるワイヤ２１はＳ字状に形成されているので、塞栓捕捉フィルター２０全体の大きさを認識しやすくすることができる。なお、プラチナや金のように剛性や復元性が弱い素材を使用する場合には、拡張確認ワイヤ２１ｃ以外のワイヤ２１（以下、「主たるワイヤ２１」ともいう。）の拡張力への影響を最小限に留めるために、多くとも５分の１以下の本数にすることが好ましい。また、拡張確認ワイヤ２１ｃは、主たるワイヤ２１の直径よりも太い直径を有するものを使用してもよい。太い拡張確認ワイヤ２１ｃを使用することによって、Ｘ線で視認したときに、塞栓捕捉フィルター２０の拡張状態をより視認しやすくすることができる。一方で、拡張確認ワイヤ２１ｃに、主たるワイヤ２１と同程度の剛性を有しているものであれば、すべてのワイヤ２１を拡張確認ワイヤ２１ｃにしてもよい。例えば、ニッケルチタンプラチナ芯ワイヤや、ニッケルチタンワイヤに金メッキをしたもの等が考えられる。また、主たるワイヤ２１に使用されている素材と同じ素材、同じ太さのものにＸ線不透過性ワイヤを撚ったものや、さらに、細いＸ線不透過性のワイヤ２１を巻回したものを使用してもよい。このように、主たるワイヤ２１に使用されているワイヤ２１と同じ素材を使用することによって、主たるワイヤ２１と剛性の強さをほぼ同一とすることができる。
【００４３】
束部２４は、メッシュ部２２から伸びたワイヤ２１を束ねて、近位端側に塞栓流入口２６を形成したものである。束部２４を構成するワイヤ２１は、それぞれ結束することなくばらばらの状態であってもよいが、好ましくは、撚り糸にしたり、編み込んだりするとよい。例えば、１本の束部をさらに複数の束にして三つ編み状にしたりしてもよい。束部２４を撚り糸にしたり、編み込んだりすることによって、ワイヤ２１がばらつくことを防止することができ、ばらついたワイヤ２１に塞栓が引っかかることを低減することができる。また、束部２４の剛性を向上させることができ、拡張力の向上及び拡張後の拡張状態を維持しやすくすることができる。
【００４４】
次に、塞栓物質捕捉用デバイス１００の作製方法について説明する。まず、塞栓捕捉フィルター２０の作製方法について説明する。
【００４５】
まず、塞栓捕捉フィルター２０の拡張形態に形成された型を使用して、メッシュ部２２を作製する。この際に、あらかじめメッシュ部２２のワイヤ２１がＳ字を描くように織り込み又は編み込んでいく。織り込み又は編み込む際には、交互に互い違いに織り込んだいわゆる平織りタイプであってもよいし、複数のワイヤを通過させたいわゆる斜文織り又は朱子織りタイプであってもよい。
【００４６】
その後、束部２４を形成するワイヤ２１に捻りを加えるか、編み込む等により束を拘束する。そして、各ワイヤの形状付けを行う。すなわち、塞栓捕捉フィルター２０が拡張した状態のまま加熱して形状を記憶させる。こうして中央が膨らんだ状態の塞栓捕捉フィルター２０が作製される。
【００４７】
次に、こうして作製された塞栓捕捉フィルター２０の両端にメッシュ部側スリーブ４１及び束部側スリーブ４２を取り付ける。
【００４８】
メッシュ部側端部２２ａにメッシュ部側スリーブ４１を取付けるには、図４に示すように、内スリーブ４１ａと外スリーブ４１ｂを有するスリーブ４０の間に、集約されたワイヤ２１の先端を挿入する。使用する内スリーブ４１ａ又は外スリーブ４１ｂは、プラチナ等のＸ線不透過性素材を使用するとよい。挿入した後、内スリーブ４１ａと外スリーブ４１ｂとの間に接着剤又は半田を流し込むか、浸漬することによってそれぞれを固定する。この際に、ワイヤ２１のスリーブ４０内に挿入される部分を細径化しておくとよい。細径化することによって、外スリーブ４１ｂの外径を小さくすることができる。細径化には、電解研磨、物理研磨、又は化学研磨等を使用することができる。これによって、スリーブ４０の外径を先端ガイド部３０の外径と同じ太さ又は先端ガイド部３０との段差を小さくすることができる。先端ガイド部３０と段差をなくすか、段差を小さくすることによって、先端ガイド部０を血管内で進行させる際に、スムーズに進行させることができる。また、メッシュ部側スリーブ４１の近位端先端は、丸みを帯びるように作製するとよい。これは、スリーブ自体の形状としてもよいし、半田や接着剤で作製してもよい。
【００４９】
束部側端部２４ａに束部側スリーブ４２を取付ける場合も同様に、図５に示すように、内スリーブ４２ａと外スリーブ４２ｂとの間に束部２４の端部を挿入した後、内スリーブ４２ａと外スリーブ４２ｂとの間を接着剤や半田を流し込んで固定する。束部側スリーブ４２に使用する内スリーブ４２ａ又は外スリーブ４２ｂは、プラチナ等のＸ線不透過性素材を使用するとよい。メッシュ部側スリーブ４１と束部側スリーブ４２の両方ともＸ線不透過性素材を使用することによって、それぞれの距離を認識することで塞栓捕捉フィルター２０の拡張状態を確認することもできる。メッシュ部側端部２２ａと同様に束部側スリーブ４２内に挿入される端部部分を細径化しておくとよい。特に、束部側端部２４ａは、複数のワイヤ２１が束に集約されているため、細径化することにより束全体が細くなるため、効果的である。なお、内スリーブ４２ａと外スリーブ４２ｂに挿入する際には、必ずしも均等に配置する必要はない。図６に示したように、内スリーブ４２ａと外スリーブ４２ｂが偏心された状態で挿入してもよい。このように偏心させることによって、編み込んで束ねた束の塊であっても、同心円の場合と比較して、容易に内スリーブ４２ａと外スリーブ４２ｂとの間にワイヤ２１の束部側端部２４ａを挿入することができる。また、内スリーブ４２ａと外スリーブ４２ｂとの間に均等に配置したときよりも、大きな隙間が形成されやすいため、半田や接着剤を流したり、浸透させたりしやすくなり、より確実にワイヤ２１の束部側端部２４ａに固定することができる。また、束部側スリーブ４２の遠位端側先端は、丸みを帯びるように形成するとよい。これは、スリーブ自体の形状としてもよいし、半田や接着剤で作製してもよい。
【００５０】
こうして作製された塞栓捕捉フィルター２０は、シャフト部材１０の先端からスリーブ４０内に通すようにして、塞栓捕捉フィルター２０を開口部が遠位端側に配置されるようにシャフト部材１０に取り付ける。取り付ける際には、メッシュ部側スリーブ４１は、シャフト部材１０に固定して取り付けられ、束部側スリーブ４２は、シャフト部材１０に対してスライド自在となるように設けられる。これにより、束部側スリーブ４２が遠位端側から近位端側に移動することで、塞栓捕捉フィルター２０が閉じた状態から開いた状態に変化させることができる。
【００５１】
以上のようにシャフト部材１０に塞栓捕捉フィルター２０が取り付けられた後、先端に先端ガイド部３０を取り付け、図７に示すように、外鞘８０によって塞栓捕捉フィルター２０を閉じた状態に維持した状態で準備される。
【００５２】
次に、先端が開口しており先端側のシャフト部材１０との固定部がないタイプの塞栓捕捉フィルター２０の例について、図８及び図９に沿って説明する。
【００５３】
このタイプの塞栓捕捉フィルター２０は、図８に示すように、形状記憶されたワイヤ等の線材からなる複数の骨部材２７と、複数の細孔が形成された薄膜２８とを有している。
【００５４】
骨部材２７は、血管内で薄膜を広げる機能を有する部材であり、シャフト部材１０の遠位端からシャフト部材１０の外周にほぼ同間隔に遠位側に延びるように配置されている。骨部材２７は、血管内で自動的に広がるように形状が記憶されており、薄膜２８を広げることができる程度の弾性を有する金属製又は樹脂製の線材で作製されている。限定するものではないが、例えば、０．０５ｍｍ〜０．５ｍｍ程度の太さを有するニッケルチタン合金を使用するとよい。骨部材２７の数は、５本から１０本程度が好ましいが、特に限定するものではない。
【００５５】
薄膜２８は、塞栓物を捕捉する部分であり、プラスチック又はウレタン製の薄い袋状のシートで作製されており、血流は流れるが血栓等の塞栓物は捕捉可能な細孔２８ａが多数形成されている。細孔２８ａの大きさは、３０μｍ〜１５０μｍ程度が好ましい。
【００５６】
骨部材２７は、シャフト部材１０の外周に均等に配置した状態で、図９に示すように、骨部材固定用スリーブ２９を取り付け、接着剤や半田を流し込んで固定する。薄膜２８は、骨部材２７に遠位端が開口するように取り付けられる。好ましくは、骨部材２７の内側に貼り付けると良い。
【００５７】
以上のようにシャフト部材１０に塞栓捕捉フィルター２０が取り付けられた後、図８Ｂに示すように、外鞘８０内に塞栓捕捉フィルター２０を閉じた状態で準備される。
【００５８】
先端が開口しており先端側のシャフト部材１０との固定部がないタイプの塞栓捕捉フィルター２０であれば、薄膜で袋状部が形成されているので、閉じた場合の塞栓捕捉フィルター２０の周囲の厚さを薄くすることができる。そのため、より細い塞栓物質捕捉用デバイス１００とすることができる。また、外周が同じ太さであってもシャフト部材１０の太さを太くすることができるため、中空部１５の直径を大きくすることができる。そのため、ステントグラフト等の治療器具を収納するのに適したものとすることができる。
【００５９】
手元側操作部材７０は、図８に示すように、シャフト部材１０を操作するシャフト操作部材７１と、外鞘８０を操作する外鞘操作部材７２と、を有している。シャフト操作部材７１は、シャフト部材１０と連結されており、シャフト部材１０に取り付けられている塞栓捕捉フィルター２０を血管を介して患部まで誘導したり、また取り出したりする。シャフト操作部材７１は、末端に三方弁等が接続可能な接続部を有するコネクタ７１ａが取付けられている。一方、外鞘操作部材７２は、外鞘８０に連結されており、外鞘８０とシャフト部材１０との相対位置を変更するためのものである。すなわち、血管内に塞栓物質捕捉用デバイス１００を挿入する際には、塞栓捕捉フィルター２０は、外鞘８０内に収納された状態であるが、血管内で患部に到達した後、外鞘８０をシャフト部材１０に対して後方側に引くことによって、塞栓捕捉フィルター２０を外鞘８０の外に露出することができる。露出によって骨部材２７が拡張し、血管内で固定される。
【００６０】
外鞘８０は、塞栓物質捕捉用デバイス１００の使用前にあらかじめ塞栓捕捉フィルター２０を閉じておくための筒状の部材であり、少なくとも遠位端部は、塞栓捕捉フィルター２０が閉じた状態で内部に収納可能な程度の内径を有している。
【００６１】
次に、本実施形態にかかる塞栓物質捕捉用デバイス１００の使用方法について説明する。
【００６２】
まず、操作用ワイヤ８５を使用した方法について説明する。まず、操作用ワイヤ８５自体に機能性を設けた場合について説明する。
【００６３】
（第１使用方法）
塞栓物質捕捉用デバイス１００の第１の使用方法について、塞栓捕捉フィルター２０を鎖骨下動脈に配置する場合を例として説明する。まず、デリバリーカテーテル（図示しない。）を内肘から挿入して治療部位近傍まで挿入する。デリバリーカテーテルを挿入する際には、ガイドワイヤ等を使用してもよい。
【００６４】
そして、デリバリーカテーテルの後端、すなわち、体外から塞栓物質捕捉用デバイスを挿入していく。そして、塞栓捕捉フィルター２０を血管内の狭窄箇所等の治療部位まで導入したことが確認できたら、外鞘操作部材７２をシャフト部材１０に対して、後方に移動させることによって、図１０に示すように、塞栓捕捉フィルター２０が露出される。露出された塞栓捕捉フィルター２０は、ワイヤ２１が拡張する方向へ形状記憶がされているので、ワイヤ２１の復元力により塞栓捕捉フィルター２０は拡張される。この拡張により、塞栓捕捉フィルター２０は、図１１に示すように、塞栓捕捉フィルター２０は、鎖骨下動脈の椎骨動脈と大動脈弓との間に、血管内壁に塞栓捕捉フィルター２０が接触した状態に配置される。こうして塞栓捕捉フィルター２０の留置が完了する。この際に、本発明にかかる塞栓捕捉フィルター２０は、ワイヤ２１の一部が拡張確認ワイヤ２１ｃで作製されているので、塞栓捕捉フィルター２０の位置及び拡張状態を確認することができる。なお、この場合は、塞栓流入口２６が大動脈弓側を向くことになる。
【００６５】
その後、目的の血管治療用器具２００が挿入され目的の治療がなされる。例えば、狭窄箇所を拡張するためにバルーンカテーテルによる狭窄部拡張手術や、塞栓物質除去カテーテルによる塞栓物質除去手術、又は大動脈弓部など頭頸部や腕に分岐する部分にステントグラフトの留置手術等のインターベンション手術等に使用される血管治療用器具２００が挿入される。ステントグラフトの留置手術を例として説明する。まず、ガイドワイヤ２０１を脚部の大腿動脈からガイドワイヤ２０１を挿入し、治療領域まで挿入する。そして、図１２Ａに示すように、ガイドワイヤ２０１の先端を塞栓物質捕捉用デバイス１００のシャフト部材１０の中空部１５に挿入する。その後、血管治療用器具２００（ステントグラフト）を塞栓捕捉フィルター２０に隣接するように鎖骨下動脈に留置し、所定の血管内治療が行われる。
【００６６】
この一連の過程において、ガイドワイヤ２０１を挿入する際や血管治療中にガイドワイヤ２０１が挿入されすぎて、塞栓捕捉フィルター２０に接触してしまう可能性がある。一般にガイドワイヤ２０１は、約１．０ｍｍ程度の太さを有しているが、本発明にかかる塞栓物質捕捉用デバイス１００の塞栓捕捉フィルター２０のメッシュ部２２は、前述したように、５０μｍ〜１０００μｍ程度に形成するのが好ましいことから、ガイドワイヤ２０１の先端によって、メッシュ部２２に突き刺さると、メッシュ部２２の形状を変形させたり、又は、図１２Ｂに示すように、塞栓捕捉フィルター２０の外側から袋の形態自体を変形させたりする可能性がある。しかし、本発明にかかる塞栓物質捕捉用デバイス１００によれば、ガイドワイヤ２０１の先端をシャフト部材１０の中空部１５にあらかじめ挿入することができるので、ガイドワイヤ２０１が誤って塞栓物質捕捉用デバイス１００の塞栓捕捉フィルター２０を突き刺してメッシュ部２２の形状を変形させたり、又は、塞栓捕捉フィルター２０の外側から袋の形態自体を変形させたりする可能性を低減することができる。このような使用方法をする場合は、シャフト部材１０の中空部１５は、ガイドワイヤ２０１に対して、１．１倍〜２．０倍程度の内径を有するように作製するとよい。
【００６７】
（第２使用方法）
次に、塞栓物質捕捉用デバイス１００の第２の使用方法について説明する。塞栓物質捕捉用デバイス１００の塞栓捕捉フィルター２０を血管内の治療領域に留置するまでは、第１使用方法と同様である。また、血管治療用器具２００は、ガイドワイヤ２０１を治療領域に挿入するまでは同様である。異なるのは、ガイドワイヤ２０１をシャフト部材１０の中空部１５に挿入する方法が異なる。
【００６８】
第２の使用方法では、シャフト部材１０の全長に亘って中空部１５に形成されているタイプのものを使用し、この中空部１５に、図１３に示すように、先端が鉤状の係止部１７を有している操作用ワイヤ８５をシャフト部材１０の手元側から通し、シャフト部材１０の先端から突出させる。一方、血管治療用器具２００のガイドワイヤ２０１に、リング部２０５を設けたものを使用する。かかる構成を採用することによって、ガイドワイヤ２０１のリング部２０５に係止部１７を引っ掛けて、操作用ワイヤ８５を手元側から引くことによって、ガイドワイヤ２０１を中空部１５に挿入させることができる。このような方法を採用することによって、第１使用方法と比較して、容易にガイドワイヤ２０１を中空部１５に挿入することができる。また、ガイドワイヤ２０１が操作用ワイヤ８５で係止されているので、手術中等にガイドワイヤ２０１が中空部１５から外れる可能性を低減することができる。この場合には、リング部２０５をガイドワイヤ２０１より細いものを使用するか、又は中空部１５の内径をリング部２０５が挿入可能な程度の内径を有するように作製する必要がある。なお、図１３Ｂに示すように、係止部１７をガイドワイヤ２０１に設け、リング部２０５を操作用ワイヤ８５に設けても構わない。
【００６９】
（第３使用方法）
次に、第３の使用方法について説明する。第３の使用方法について説明する。第３の使用方法では、先に血管治療用器具２００のガイドワイヤ２０１を脚部から挿入し、大動脈弓部を通過させて、内肘より体外に取り出す。そして、体外でガイドワイヤ２０１をシャフト部材１０の中空部１５に挿入する。この状態で、塞栓物質捕捉用デバイス１００及びガイドワイヤ２０１の両方を収容した状態でデリバリーカテーテルを挿入し、治療領域まで挿入する。その後、塞栓物質捕捉用デバイス１００及びガイドワイヤ２０１の両方を治療領域に移動し、デリバリーカテーテルを除去する。その後、外鞘８０を塞栓捕捉フィルター２０から外して、塞栓捕捉フィルター２０を拡張させて大動脈弓部に留置する。その後、血管治療用器具２００のガイドワイヤ２０１を治療領域に移動させ、血管の治療がなされる。
【００７０】
以上の方法により、設置された塞栓物質捕捉用デバイス１００によれば、血管治療用器具２００によって、破壊された塞栓物の一部が血流によって下流側に運ばれた場合であっても、塞栓物は、塞栓捕捉フィルター２０の開口からメッシュ部２２に捕捉されるため、塞栓物が抹消側に流れることが防止される。本発明にかかる塞栓捕捉フィルター２０は、捕捉部全体がメッシュ状に形成されているため、塞栓物が捕捉された場合でも多くのメッシュ孔が形成されているので、血流の流れを大きく阻害することが防止される。
【００７１】
また、ガイドワイヤ２０１の先端をシャフト部材１０の中空部１５にあらかじめ挿入することで、ガイドワイヤ２０１が誤って、塞栓物質捕捉用デバイス１００の塞栓捕捉フィルター２０を突き刺してメッシュ部２２の形状を変形させたり、又は、塞栓捕捉フィルター２０の外側から袋の形態自体を変形させたりする可能性を低減することができる。
【００７２】
次に、治療用デバイスを本塞栓物質捕捉用デバイス１００に挿通して使用する場合について説明する。
【００７３】
（第４使用方法）
第４使用方法は、先端が開口しており先端側のシャフト部材１０との固定部がないタイプの塞栓捕捉フィルター２０を使用しており、シャフト部材１０の中空部１５に治療用デバイスとして、ステントグラフト８７を格納するデリバリーシース８６を挿入して、ステントグラフト８７を大動脈弓部に留置する場合を例に説明する。この第４使用方法による塞栓物質捕捉用デバイス１００は、初め、図８Ｂに示すように、外鞘８０内に塞栓捕捉フィルター２０が閉じられた状態で配置されている。また、ステントグラフト８７は、閉じた状態でデリバリーシース８６に収納されている。
【００７４】
塞栓物質捕捉用デバイス１００は、図１４に示すように、外部から患部へ挿入し、治療部位の少し手前に塞栓捕捉フィルター２０を留置する。留置する方法は、第１使用方法と同様に、塞栓捕捉フィルター２０を血管内の狭窄箇所等の治療部位の直前まで導入したことが確認できたら、外鞘操作部材７２をシャフト部材１０に対して、後方に移動させることによって、外鞘８０から塞栓捕捉フィルター２０を露出される。露出された塞栓捕捉フィルター２０は、骨部材２７が拡張する方向へ形状記憶がされているので、骨部材２７の復元力により塞栓捕捉フィルター２０は拡張される。この拡張により、塞栓捕捉フィルター２０は、大動脈弓部の治療患部より若干手前に留置される。そして、ステントグラフト８７は、デリバリーシース８６を引き抜くことにより拡張して治療部位に留置される。その際に、破壊された塞栓物８８の一部が血流によって下流側に運ばれた場合であっても、塞栓物８８は、塞栓捕捉フィルター２０の開口から塞栓捕捉フィルター２０に捕捉されるため、塞栓物８８が抹消側に流れることが防止される。
【００７５】
なお、治療用デバイスとしては、ステントグラフトに限定するものではなく、図１５Ａに示すようにバルーンカテーテル、図１５Ｂに示すようにスネアカテーテル等の血栓回収デバイス又は血管内異物除去用カテーテル等の種々の血管内治療用のデバイスを中空部１５に挿入して操作することができる。
【００７６】
なお、使用方法においては、鎖骨下動脈又は動脈弓部に塞栓物質捕捉用デバイス１００及び血管治療用器具を配置する場合を例に説明したが、勿論血管はこれに限定するものではなく、静脈を含む他の血管でも使用することができる。
【産業上の利用可能性】
【００７７】
上述した実施の形態で示すように、特に、血栓やデブリスの飛散を防止するのに利用することができる。
【符号の説明】
【００７８】
１０…シャフト部材、１５…中空部、１７…係止部、２０…塞栓捕捉フィルター、２１…ワイヤ、２１ａ…ワイヤ、２１ｂ…ワイヤ、２１ｃ…拡張確認ワイヤ、２２…メッシュ部、２２ａ…メッシュ部側端部、２４…束部、２４ａ…束部側端部、２６…塞栓流入口、２６ａ…メッシュ部側端部、２７…骨部材、２８…薄膜、２８ａ…細孔、２９…骨部材固定用スリーブ、３０…先端ガイド部、３１…先端チップ部、４０…スリーブ、４１…メッシュ部側スリーブ、４１ａ…内スリーブ、４１ｂ…外スリーブ、４２…束部側スリーブ、４２ａ…内スリーブ、４２ｂ…外スリーブ、７０…手元側操作部材、７１…シャフト操作部材、７２…外鞘操作部材、８０…外鞘、８５…操作用ワイヤ、８６…デリバリーシース、８７…ステントグラフト、８８…塞栓物、１００…塞栓物質捕捉用デバイス、２００…血管治療用器具、２０１…ガイドワイヤ、２０５…リング部
【図１】
2019129915.tif 000003
【図２】
2019129915.tif 000004
【図３】
2019129915.tif 000005
【図４】
2019129915.tif 000006
【図５】
2019129915.tif 000007
【図６】
2019129915.tif 000008
【図７】
2019129915.tif 000009
【図８】
2019129915.tif 000010
【図９】
2019129915.tif 000011
【図１０】
2019129915.tif 000012
【図１１】
2019129915.tif 000013
【図１２】
2019129915.tif 000014
【図１３】
2019129915.tif 000015
【図１４】
2019129915.tif 000016
【図１５】
2019129915.tif 000017